(57)【特許請求の範囲】
【請求項１】
被設置体を設置面に設置する際に、該被設置体の高さ及び姿勢を調整する被設置体の高さ姿勢調整機構であって、
底面が閉塞され上端部が開口されその外周に鍔体が形成された筒状の第１部材（２）と、
底面に凹部（２０c）が形成され上端外周に鍔体（２０a）が形成された柱状の第２部材（２０）又は底面に穴（３c）が形成され内部に該穴（３c）に連通する空間が形成され上端外周に鍔体（３d）が形成された筒状の第２部材（３）と、を具備し、
前記第２部材（２０,３）をその底部を下方にして前記第１部材（２）の筒状内に収納した状態で、前記第１部材（２）の鍔体と前記第２部材（２０,３）の鍔体を弾性を有する結合部材（４）で結合し、前記第１部材（２）の内側面と前記第２部材（２０,３）の外側面の間に空間を形成すると共に、該空間に所定量の硬質微粒体（７）を収納して調整機構本体（１）を構成し、
前記被設置体の下面に直接又は所定の部材を介在させて間接的に前記調整機構本体（１）の前記第２部材（２０,３）の上面を取り付け、
前記調整機構本体（１）を下方、前記被設置体を上方として設置面（１５）に設置し、前記被設置体が設置面（１５）上を上下方向を回転軸として回転又は設置面（１５）上を横方向に移動した際に、前記硬質微粒体（７）が前記空間内を移動し、前記第１部材（２）の内底面と前記第２部材（２０,３）の外底面の間に介在する前記硬質微粒体（７）の量及び状態の変化により前記被設置体の高さ及び姿勢を調整することを特徴とする被設置体の高さ姿勢調整機構。
【請求項２】
請求項１に記載の被設置体の高さ姿勢調整機構において、
前記調整機構本体の第１部材の下面に前記設置面との摩擦係数を上げる材料からなる設置面当接部材を設けたことを特徴とする被設置体の高さ姿勢調整機構。
【請求項３】
請求項１又は２に記載の被設置体の高さ姿勢調整機構において、
前記調整機構本体の第１部材は円筒体であり、第２部材は円柱体又は円筒体であることを特徴とする被設置体の高さ姿勢調整機構。
【請求項４】
請求項１乃至３のいずれか１項に記載の被設置体の高さ姿勢調整機構において、
前記調整機構本体の前記第２部材の上面に棒状支持体を取り付け、該棒状支持体を介して前記被設置体の下面に前記調整機構本体を取付け固定したことを特徴とする被設置体の高さ姿勢調整機構。
【請求項５】
請求項４に記載の被設置体の高さ姿勢調整機構において、
前記被設置体は１本の支柱で支持されるようになっており、該支柱の下端に複数本の脚が設けられており、該脚のそれぞれの先端部に前記調整機構本体をその棒状支柱を取り付け固定したことを特徴とする被設置体の高さ姿勢調整機構。
【請求項６】
請求項４に記載の被設置体の高さ姿勢調整機構において、
前記被設置体は複数本の支柱で支持されるようになっており、該支柱のそれぞれの下端部に前記調整機構本体をその棒状支柱を取り付け固定したことを特徴とする被設置体の高さ姿勢調整機構。
【請求項７】
請求項４に記載の被設置体の高さ姿勢調整機構において、
前記被設置体の下面に複数個の前記調整機構本体をその棒状支柱を直接取り付け固定したことを特徴とする被設置体の高さ姿勢調整機構。
【請求項８】
請求項１又は２に記載の被設置体の高さ姿勢調整機構において、
前記被設置体の下面に複数個の前記調整機構本体をその第２部材の上面を固定して取り付けたことを特徴とする被設置体の高さ姿勢調整機構。
【発明の詳細な説明】
【技術分野】
【０００１】
本発明は、床面等の設置面に設置されるテーブル等の被設置体の下面に直接取り付け又は被設置体を支持する支柱等の支持体を介して取り付け、該被設置体の上面の高さや姿勢を調整する被設置体の高さ姿勢調整機構に関するものである。
【背景技術】
【０００２】
設置面に設置されるテーブル等の被設置体は、その設置面の高さが均等でなく凹凸等がある場合、そこに被設置体を設置した場合、被設置体が安定せずガタついたりする。また、ガタつかなくとも、複数の被設置体を設置した場合、各被設置体の上面が同一の水平にならないことから、被設置体を支える支柱の長さが同じでも、複数の被設置体の上面が同一水平面とならず、被設置体上面と被設置体上面との間で段差が発生し、使用に不便が生じるという問題もある。特にタイル張りの床面は各タイル毎に高さや傾斜角が異なる複数面の集合であるから、被設置体を設置した場合、被設置体が必然的に安定せずガタついたり、複数設置された被設置体と被設置体の間で上面に段差が生じる等の問題がある。
【０００３】
上記問題を解決するため、例えば特許文献１，２に開示された設置面段差吸収技術や特許文献３に開示された高さ調整用アジャスタが開発されている。しかしこれらの技術はいずれもその構造が複雑でコスト高になるという問題がある上、調整作業に困難が伴うという問題もある。
【先行技術文献】
【特許文献】
【０００４】
【特許文献１】特開２００８−８６６０９号公報
【特許文献２】特開２００９−１８９６２５号公報
【特許文献３】特開２０１４−１１７４２３号公報
【発明の概要】
【発明が解決しようとする課題】
【０００５】
本発明は上述の点に鑑みてなされたもので、簡単な構成で被設置体の設置に際し、該被設置体を設置面に沿って回動及び／又は前後左右に動かすだけで、被設置体の高さや姿勢を自由に調整できる被設置体の高さ姿勢調整機構を提供することを目的とする。
【課題を解決するための手段】
【０００６】
上記課題を解決するため本発明は、被設置体を設置面に設置する際に、該被設置体の高さ及び姿勢を調整する被設置体の高さ姿勢調整機構であって、底面が閉塞され上端部が開口されその外周に鍔体が形成された筒状の第１部材（２）と、底面に凹部（２０c）が形成され上端外周に鍔体（２０a）が形成された柱状の第２部材（２０）又は底面に穴（３c）が形成され内部に該穴（３c）に連通する空間が形成され上端外周に鍔体（３d）が形成された筒状の第２部材（３）と、を具備し、第２部材（２０,３）をその底部を下方にして第１部材（２）の筒状内に収納した状態で、第１部材（２）の鍔体と第２部材（２０,３）の鍔体を弾性を有する結合部材（４）で結合し、第１部材（２）の内側面と第２部材（２０,３）の外側面の間に空間を形成すると共に、該空間に所定量の硬質微粒体（７）を収納して調整機構本体（１）を構成し、被設置体の下面に直接又は所定の部材を介在させて間接的に調整機構本体（１）の第２部材（２０,３）の上面を取り付け、調整機構本体（１）を下方、被設置体を上方として設置面（１５）に設置し、被設置体が設置面（１５）上を上下方向を回転軸として回転又は設置面（１５）上を横方向に移動した際に、硬質微粒体（７）が空間内を移動し、第１部材（２）の内底面と第２部材（２０,３）の外底面の間に介在する硬質微粒体（７）の量及び状態の変化により被設置体の高さ及び姿勢を調整することを特徴とする被設置体の高さ姿勢調整機構にある。
【０００７】
また、本発明は、上記被設置体の高さ姿勢調整機構において、調整機構本体の第１部材の下面に設置面との摩擦係数を上げる材料からなる設置面当接部材を設けたことを特徴とする。
【０００８】
また、本発明は、上記被設置体の高さ姿勢調整機構において、調整機構本体の第１部材は円筒体であり、第２部材は円柱体又は円筒体であることを特徴とする。
【０００９】
また、本発明は、上記被設置体の高さ姿勢調整機構において、調整機構本体の第２部材の上面に棒状支持体を取り付け、該棒状支持体を介して被設置体の下面に調整機構本体を取付け固定したことを特徴とする。
【００１０】
また、本発明は、上記被設置体の高さ姿勢調整機構において、被設置体は１本の支柱で支持されるようになっており、該支柱の下端に複数本の脚が設けられており、該脚のそれぞれの先端部に調整機構本体をその棒状支柱を取り付け固定したことを特徴とする。
【００１１】
また、本発明は、上記被設置体の高さ姿勢調整機構において、被設置体は複数本の支柱で支持されるようになっており、該支柱のそれぞれの下端部に調整機構本体をその棒状支柱を取り付け固定したことを特徴とする。
【００１２】
また、本発明は、上記被設置体の高さ姿勢調整機構において、被設置体の下面に複数個の調整機構本体をその棒状支柱を直接取り付け固定したことを特徴とする。
【００１３】
また、本発明は、上記被設置体の高さ姿勢調整機構において、被設置体の下面に複数個の調整機構本体をその第２部材の上面を固定して取り付けたことを特徴とする。
【発明の効果】
【００１４】
本発明に係る被設置体の高さ姿勢調整機構は、調整機構本体が上記のように底面が閉塞され上端部が開口されその外周に鍔体が形成された筒状の第１部材と、底面に凹部が形成され上端外周に鍔体が形成された柱状の第２部材又は底面に穴が形成され内部に該穴に連通する空間が形成され上端外周に鍔体が形成された筒状の第２部材とを具備し、第２部材をその底部を下方にして第１部材の筒状内に収納した状態で、第１部材の鍔体と第２部材の鍔体を弾性を有する結合部材で結合し、第１部材の内側面と第２部材の外側面の間に空間を形成すると共に、該空間に所定量の硬質微粒体を収納して調整機構本体を構成しているから、調整機構の構成が極めて簡単となる。即ち、主部品が上記構成の第１部材と第２部材と結合部材と硬質微粒体等の少ない部品で構成されるので、組立が容易となる。
【００１５】
また、被設置体の下面に直接又は間接的に調整機構本体の第２部材の上面を取り付け、調整機構本体を下方、被設置体を上方として設置面に設置し、被設置体が設置面上を上下方向を回転軸として回転又は設置面上を横方向に移動した際に、硬質微粒体が空間内を移動し、第１部材の内底面と第２部材の外底面の間に介在する硬質微粒体の量及び状態の変化により被設置体の高さ及び姿勢を調整するので、簡単な操作で被設置体の高さや姿勢が調整できる。しかも第１筒体の内底面と第２筒体の外底面の間に硬質微粒体が介在しているので、高さ姿勢の調整後は、被設置体は調整機構本体により安定して支持されることになる。
【図面の簡単な説明】
【００１６】
【図１】本発明に係る高さ姿勢調整機構の調整機構本体を示す図で、図１（ａ）は外観図、図１（ｂ）は断面図である。
【図２】本発明に係る高さ姿勢調整機構を備えたテーブルの構成例を示す図で、図２（ａ）は外観図、図２（ｂ）は脚部先端部に調整機構本体を取付けた状態を示す図である。
【図３】本発明に係る高さ姿勢調整機構を備えたテーブルを設置面上に設置した場合の平面図である。
【図４】本発明に係る高さ姿勢調整機構の動作を説明するための断面図である。
【図５】本発明に係る高さ姿勢調整機構の他の調整機構本体を示す断面図である。
【発明を実施するための形態】
【００１７】
以下、本発明の実施の形態について、詳細に説明する。図１は本発明に係る高さ姿勢調整機構の調整機構本体を示す図で、図１（ａ）は外観図、図１（ｂ）は断面図である。調整機構本体１は、第１部材である筒体２と第２部材である筒体３を具備する。筒体（図では円筒体）２は、金属等の剛性を有する材料からなり、円筒体部２ａを備え、該円筒体部２ａの下端部は底部２ｂで閉塞され、上端部は開口され、上端部外周には鍔体２ｃが形成されている。また、筒体（図では円筒体）３は金属等の剛性を有する材料からなり、円筒体部３ａを備え、該円筒体部３ａ下端の底部材３ｂには内部空間に連通する穴３ｃが形成され、上端部は開口され、上端部外周に鍔体３ｄが形成されている。
【００１８】
第１部材である筒体２の円筒体部２ａの内径と第２部材である筒体３の円筒体部３ａの外径は、円筒体部３ａをその底部３ｂを下方にして円筒体部２ａ内に収納した際、円筒体部２ａの内周面と円筒体部３ａの外周面との間に所定の間隙が形成される寸法としている。また、円筒体部３ａの長さ寸法（上下方向の寸法）は、筒体２の鍔体２ｃの全周と第２筒体３の鍔体３ｄの全周とを弾性を有する例えばゴム材からなる結合部材４で結合した状態で、円筒体３ａの底部３ｂ外側面（下面）と円筒体部２ａの底部２ｂの内側面（内底面）の間に所定の間隙が形成される寸法としている。
【００１９】
これにより筒体２の鍔体２ｃと筒体３の鍔体３ｄとを結合部材４で結合した状態で、筒体２と筒体３と結合部材４で囲まれた空間に所定容積の密閉空間が形成される。そしてこの空間内に珪砂等の硬質材料からなる微粒体７を所定量収納して調整機構本体１を構成している。なお、ここでは、微粒体７の量は筒体３に上方からの圧力が加わらない状態で、円筒体部２ａの底部２ｂの内側面と円筒体部３ａの底部３ｂ外側面との間の間隙を満たす量としている。即ち、微粒体７の層の上部の円筒体部３ａの内部、及び筒体２と筒体３と結合部材４で囲まれた内部は空となっている。
【００２０】
上記のように第２部材である筒体３のその底部を下方にして第１部材である筒体２に収納した状態で、筒体２の鍔体２ｃの全周と筒体３の鍔体３ｄの全周を弾性体である結合部材４で結合し、更に後述するように円筒体部３ａの上部開口を金属等の剛性を有する材料からなる蓋体５で閉塞することにより、筒体２の内側面と筒体３の外側面と結合部材４で囲まれた空間を密閉空間とすると共に、該密閉空間に所定量の硬質微粒体７を収納して調整機構本体１を構成することにより、硬質微粒体７が外部に飛散することがない。また、硬質微粒体７が外部に飛散する心配の無い場合は、上記筒体２の内側面と筒体３の外側面と結合部材４で囲まれた空間を密閉空間とする必要がない。その場合は、例えば筒体２の鍔体２ｃの全周と筒体３の鍔体３ｄの全周を結合部材４で結合する必要はなく、鍔体２ｃの一部と鍔体３ｄの一部をバネ材等の弾性を有する結合部材で結合するようにしてもよい。
【００２１】
調整機構本体１の筒体３の円筒体部３ａの上端部開口は円板状の蓋体５で閉塞され、該蓋体５の上面中心部に金属等の剛性を有する材料からなる棒状支持体６を蓋体５と一体に形成して設けるか取り付けて設けている。該棒状支持体６の外周面には雄ネジ溝６ａが形成されている。また、筒体２の底部２ｂの下面には、調整機構本体１を設置面（図示せず）に設置した場合、該設置面と底部２ｂ下面との摩擦力を上げるため、例えばゴム材からなる設置面当接部材８を貼付け等により取り付けている。設置面当接部材８は設置面との摩擦力を上げるためであるから、少なくとも設置面と当接部分に設置面に対して摩擦係数の大きい材料を用いる。
【００２２】
図２は、本発明に係る高さ姿勢調整機構を備えた被設置体であるテーブルの構成例を示す図で、図２（ａ）は外観図、図２（ｂ）は脚１３の先端部に調整機構本体１を取付けた状態を示す図である。図示するように、テーブル１０は剛性を有する材料からなるテーブル板１１を具備し、該テーブル板１１の裏面（下面）の中央部に剛性を有する材料からなる支柱１２が固定され、該支柱１２の下端に放射状に複数本（図では４本）の脚１３が設けられている。脚１３の先端部の下面には、調整機構本体１の棒状支持体６の雄ネジ溝６ａが螺合する雌ネジ溝が内周面に形成されたネジ孔（図示せず）が設けられている。該ネジ孔に調整機構本体１の棒状支持体６をネジ込むことにより、脚１３先端部の下面に調整機構本体１を取り付け固定する。なお、調整機構本体１は、テーブル１０の支柱１２下端に設けられた全部の脚１３（図では４本全部の脚）に取り付ける。
【００２３】
図３は上記構成の姿勢調整機構を備えたテーブル１０を設置面１５の上に設置し状態を示す平面図であり、図４（ａ）〜（ｄ）はテーブル１０が設置面１５に設置してから安定状態にするまでの調整機構本体１の内部の動きを示す図である。図３の実線で示すように、設置面１５上にテーブル１０を設置する。この状態でテーブル１０の各脚１３の先端部に取り付けた調整機構本体１の下面に取付けた設置面当接部材８は、図４（ａ）に示すように、設置面１５上に当接する。この状態でテーブル１０はテーブル板１１を手でつかみ矢印Ａに示すように、支柱１２を回転中心として左右に回動させる。この時テーブル板１１を手で押して矢印Ｂに示すように調整機構本体１に若干の圧力を加える。
【００２４】
これにより、調整機構本体１の第１部材である筒体２の円筒体部２ａ内に位置する第２部材である筒体３の底部３ｂも図４（ｂ），（ｃ）の矢印Ａに示すように移動する。この時、設置面当接部材８は上記のように少なくとも設置面１５に当接する部分が、該設置面１５に対する摩擦係数の大きい材料からなることと、筒体３の底部３ｂの移動に対して結合部材４が変形してその移動力が筒体２に伝達されるのを抑制するので、筒体２の底部２ｂは設置面１５を移動することなく、図４（ｂ），（ｃ）に示すように当接位置に止まり、微粒体７が筒体３の底部３ｂにより掻き乱され、底部３ｂが微粒体７中に沈むと共に、微粒体７が底部３ｂに形成された穴３ｃを通って円筒体部３ａ内に侵入したり、円筒体部２ａの内面と円筒体部３ａの外面との間の間隙に存在する微粒体７のレベルが変化する。
【００２５】
この底部３ｂの微粒体７中への沈み具合や微粒体７の円筒体２ａ内の侵入具合、さらには円筒体部２ａの内面と円筒体部３ａの外面との間の間隙の微粒体７レベル変化の具合は、設置面１５に凹凸があれば、その凹凸の状態によって各脚１３の先端部に取り付けた調整機構本体１に毎に異なる。即ち設置面１５の凹凸により各脚１３のガタツキを防止するように、各調整機構本体１の筒体２の底部２ｂと筒体３の底部３ｂとの間に介在する微粒体７の量が変化する。これにより各調整機構本体１の設置面当接部材８は設置面１５に密接することになり、テーブル１０のガタツキは防止できる。また、ガタツキを防止すると同時にテーブル板１１の高さや姿勢も調整できるから、図示は省略するテーブル１０を複数台並べて設置した場合、各テーブル板１１の上面を同一面上にすることも容易に達成できる。
【００２６】
調整機構本体１の結合部材４はゴム材等の弾性を有する材料からなるが、その弾性力は上記テーブル板１１を支柱１２を回動中心として回動させる調整作業が終了し、テーブル板１１から手を放した図４（ｄ）に示す状態で、筒体３の底部３ｂがテーブル板１１や支柱１２の重みで微粒体７の層上に安定して着座する程度の弾性力であればよく、例えば結合部材４の弾性力が強すぎて筒体３の底部３ｂが微粒体７の層中で動いたり、層上面から浮き上がる等着座が不安定になってはならない。
【００２７】
なお、図１に示す構成の調整機構本体１は、第１部材と第２部材の両方を筒体（図では円筒体）としたが、例えば図５に示すように、第２部材を上端外周に鍔体２０ａを有する内実の柱体（全体が金属等の剛性を有する材料からなる柱体）２０とし、第１部材は図１と同様筒体２（図では円筒体）として調整機構本体１−２を構成してもよい。柱体２０の下端面中央部に凹部２０ｃ（図では円柱状の凹部）を設けた構成としてもよい。柱体２０の上面に円板体２１を貼り付け等して取り付ける。また、円板体２１の中心部に金属等の剛性を有する材料からなる棒状支持体２１ａを円板体２１と一体に形成して設けるか、取り付けて設けている。該棒状支持体２１ａの外周面には雄ネジ溝２１ｂが形成されている。
【００２８】
上記構成の調整機構本体１−２を、例えば図２にテーブル１０の各脚１３に取り付けた場合も、テーブル板１１を支柱１２を中心に回動又は前後左右に移動させることにより、
図３及び図４に示すと同様、設置面１５の凹凸により各調整機構本体１の筒体２の底部２ｂと筒体３の底部３ｂとの間に介在する微粒体７の量が変化する。これにより各調整機構本体１−２の設置面当接部材８は設置面１５に密接することになり、テーブル１０のガタツキは防止できると共に、テーブル板１１の高さや姿勢を調整できることは、図３及び図４に示すテーブルと同一である。
【００２９】
また、図２では、被設置体として矩形状のテーブル板１１を下端に複数本（図では４本）の脚１３を供えた１本の支柱１２で支えるテーブル１０を示したが、被設置体はこれに限定されるものではなく、例えば矩形状、円形状、楕円形状等の種々のテーブル板を複数本の複数本の支柱で支えるようにテーブルを構成し、各支柱の下端に上記構成の調整機構本体１や調整機構本体１−２を設けるようにしてもよい。
【００３０】
また、被設置体としてテーブルに限定されるものではなく、例えばガタツキを嫌う精密機械等の載置台の下面に設けた複数の支柱や支持体の各下端面に設けたネジ孔に、上記調整機構本体１や調整機構本体１−２の棒状支持体６や棒状支持体２１ａをネジ込んで、載置台に調整機構本体１や調整機構本体１−２を取付けてもよい。
【００３１】
また、上記調整機構本体１や調整機構本体１−２では、上面中央部に外周面には雄ネジ溝を形成した棒状支持体６や棒状支持体２１ａを設けているか、棒状支持体６や棒状支持体２１ａを調整機構本体１や調整機構本体１−２の上面から除去して該上面を平面とし、該平面を被設置体の下面に直接又は所定の部材を介して間接的に取付け等により取り付けるようにしてもよい。
【００３２】
本発明に係る被設置体の高さ姿勢調整機構は、調整機構本体１，１−２を図１又は図５に示すような構成とすることにより、被設置体を設置面に被設置体の高さ及び姿勢を調整して設置すると、筒体３の底部３ｂと筒体２の底部２ｂの間、又は柱体２０の底部２０ｂと筒体２の底部２ｂの間に硬質材料からなる微粒体７の層が介在する。よって被設置体を設置面１５上に設置した後、地震等により設置面１５が横揺れした場合、筒体２の底部２ｂは設置面１５の横揺れに伴って振動するが、微粒体７の層の存在により設置面１５の振動の筒体３への伝達が大きく抑制（緩和）され、筒体２又は柱体２０の振動が極めて小さくなる。即ち、地震等により設置面１５の横揺れがあっても、その横揺れの被設置体への伝達が大幅に緩和される抑振動作用を有する。
【００３３】
また、結合部材４は、ゴム材等の弾性を有する材料からなるので、テーブル等の被設置体の重量が解放される（持ち上げられる）と、弾性進発力により上下方向に広がり、調整機構本体１，１−２の内部状態を初期（設置前）の状態にリセットする作用効果も奏する。この場合、調整機構本体１，１−２の内部を加圧したり、該内部にバネ材を設置等して結合部材４の弾性反発力を補うようにしてもよい。
【００３４】
以上本発明の実施形態を説明したが、本発明は上記実施形態に限定されるものではなく、特許請求の範囲、及び明細書と図面に記載された技術的思想の範囲内で種々の変形が可能である。
【産業上の利用可能性】
【００３５】
本発明は、筒状の第１部材と第２部材とを具備し、第２部材をその底部を下方にして第１部材に収納した状態で、第１部材の鍔体と第２部材の鍔体を弾性体で結合し、第１部材の内側面と第２部材の外側面の間に空間を形成すると共に、該空間に所定量の硬質微粒体を収納して調整機構本体を構成し、被設置体の下面に直接又は間接的に調整機構本体の第２部材の上面を取り付け、調整機構本体を下方、被設置体を上方として設置面に設置した際に、調整機構本体の第１部材の内底面と第２部材の外底面の間に介在する硬質微粒体の量及び状態により被設置体の高さ及び姿勢を調整するので、簡単な構成と簡単操作でテーブルや家具等の被設置体の高さや姿勢を調整する調整機構として利用できる。
【符号の説明】
【００３６】
１    調整機構本体
１−２    調整機構本体
２    筒体
３    筒体
４    結合部材
５    蓋体
６    棒状支持体
７    微粒体
８    設置面当接部材
１０    テーブル
１１    テーブル板
１２    支柱
１３    脚
１５    設置面
２０    柱体
２１    円板体
【図１】
0006385793.tif 000002
【図２】
0006385793.tif 000003
【図３】
0006385793.tif 000004
【図４】
0006385793.tif 000005
【図５】
0006385793.tif 000006